(57)【要約】【課題】データ通信中の複数の移動機がセル間を移動したとき、ハンドオーバと位置登録が同時に発生することを防ぎ、データ通信で使用する物理共有チャネルの圧迫による複数の移動機のデータ通信速度の局地的低下を防ぐ。【解決手段】呼処理制御装置１０２は、ハンドオーバと位置登録が同時に大量発生したことを自動的に検出し、監視制御サーバ１０５に通知する。呼処理制御装置１０２からの通知を受信した監視制御サーバ１０５は、輻輳が発生した移動先のセルと移動元のセルの位置登録エリア識別子（ＴＡＩ：Ｔｒａｃｋｉｎｇ  Ａｒｅａ  Ｉｄｅｎｔｉｔｙ）が同じ値になるようにＴＡＩ変更要求を基地局１０１へ送信する。監視制御サーバ１０５からＴＡＩ変更要求メッセージを受信した基地局１０１は、自身のＴＡＩ値をそれぞれ変更する。以降、全ての移動機１０１は、ＴＡＩ値を変更したセル間を移動する限りではハンドオーバだけを行い位置登録を行わなくなる。【選択図】図１
2011109609.tif 000002
【特許請求の範囲】
【請求項１】
基地局と通信する移動機がセル間を移動する際にハンドオーバ処理を実行し、該移動機が保持するエリア識別子と基地局から受信されるセルのエリア識別子が異なる場合に該移動機がどのセル配下にいるかを通知するための位置登録処理を実行する無線通信システムにおける位置登録エリア割当方法であって、
任意の移動機について、予め定められた時間間隔内に、第１セルと第２セル間でハンドオーバ処理と位置登録処理との双方が発生したことを検出し、
検出された回数をカウントし、
カウントされた回数が、予め定められた閾値を超えた場合に、第１セルと第２セルのエリア識別子を共通の識別子に変更して、他の移動機の第１セル及び第２セル間でのハンドオーバ処理と、該他の移動機の位置登録処理の発生タイミングを時間的に分離する前記位置登録エリア割当方法。
【請求項２】
呼処理制御装置は、
ハンドオーバ処理及び位置登録処理の一方が実行されると、前記時間間隔を計るタイマを始動し、
タイマが満了するまでにハンドオーバ処理及び位置登録処理の他方が実行されることで、予め定められた時間間隔内にハンドオーバ処理と位置登録処理との双方が発生したことを検出する請求項１に記載の位置登録エリア割当方法。
【請求項３】
基地局は、エリア識別子が変更されると、第１セル及び第２セルに在圏する複数の移動機のうち一部をアクセス制限し、該複数の移動機からの、エリア識別子が変更されたことによる位置登録要求を時間的にずらして受け付ける請求項１に記載の位置登録エリア割当方法。
【請求項４】
予め定められた時間帯に第１セルと第２セルのエリア識別子を共通の識別子に変更する請求項１に記載の位置登録エリア割当方法。
【請求項５】
第１セルと第２セルに在圏する移動機の数が予め定められた第２閾値以下になったら、第１セルと第２セルのエリア識別子を共通の識別子に変更する請求項１に記載の位置登録エリア割当方法。
【請求項６】
所望の時間帯を入力し、該時間帯に第１セルと第２セルのエリア識別子を共通の識別子に変更する請求項１に記載の位置登録エリア割当方法。
【請求項７】
移動機がセル間を移動する際にハンドオーバ処理を実行し、該移動機が保持するエリア識別子と基地局から受信されるセルのエリア識別子が異なる場合に該移動機がどのセル配下にいるかを通知するための位置登録処理を実行する無線通信システムにおいて、該無線通信システムは、
前記移動機と通信する基地局と、
ハンドオーバ処理及び位置登録処理を実行する呼処理制御装置と、
セルにエリア識別子を割り当てる監視制御サーバと
を備え、
前記呼処理制御装置は、
任意の移動機について、予め定められた時間間隔内に、第１セルと第２セル間でハンドオーバ処理と位置登録処理との双方が発生したことを検出し、
検出された回数をカウントし、
カウントされた回数が予め定められた閾値を超えた場合に、前記監視制御サーバに通知し、
前記監視制御サーバは、
該通知に従い、第１セルと第２セルのエリア識別子を共通の識別子に変更して、他の移動機の第１セル及び第２セル間のハンドオーバ処理と、該他の移動機の位置登録処理の発生タイミングを時間的に分離する前記無線通信システム。
【請求項８】
前記呼処理制御装置は、
ハンドオーバ処理及び位置登録処理の一方が実行されることで始動し、前記時間間隔を計るタイマと、
第１セルと第２セルの識別子に対応して、カウントされた回数を記憶するメモリと
を有する請求項７に記載の無線通信システム。
【請求項９】
前記基地局は、エリア識別子が変更されると、第１セル及び第２セルに在圏する複数の移動機のうち一部をアクセス制限し、該複数の移動機からの、エリア識別子が変更されたことによる位置登録要求を時間的にずらして受け付ける請求項７に記載の無線通信システム。
【請求項１０】
前記監視制御サーバは、予め定められた時間帯に第１セルと第２セルのエリア識別子を共通の識別子に変更する請求項７に記載の無線通信システム。
【請求項１１】
前記監視制御サーバは、第１セル及び第２セルに在圏する移動機の数が予め定められた第２閾値以下になったら、第１セルと第２セルのエリア識別子を共通の識別子に変更する請求項７に記載の無線通信システム。
【請求項１２】
前記監視制御サーバは、所望の時間帯を入力し、該時間帯に第１セルと第２セルのエリア識別子を共通の識別子に変更する請求項７に記載の無線通信システム。
【発明の詳細な説明】
【技術分野】
【０００１】
本発明は、位置登録エリア割り当て方法及び無線通信システムに係り、特に、位置登録とハンドオーバの処理の分離に着目したシグナリングトラヒック減少技術に関する。
【背景技術】
【０００２】
移動機は、メールやストリーミング動画などのサービスを利用するために、基地局と無線上でパケット通信を行い、ゲートウェイを介してインターネット網とサービス用データの送受信を行う。移動機は、基地局とパケット通信を行っているとき基地局間を移動することがある。移動機があるセルに在圏している状態で基地局とパケット通信をしているときに他のセル配下に移動すると、移動機と基地局は、パケット通信を継続させるためにハンドオーバという処理を行う。ハンドオーバについては、例えば非特許文献１に記載されている。非特許文献１で規定されているハンドオーバでは、移動機は、移動元のセルから移動先のセルへパケット通信先を切り替えるためにパケット通信とは別にシグナリング通信を移動先の基地局と行っている。移動機と基地局の無線区間上で行われるパケット通信とシグナリング通信は同じ物理チャネル（物理共有チャネル）上で行われる。パケット通信とシグナリング通信は同じ物理共有チャネルを共有するため、シグナリング通信が多くなるほど物理共有チャネルを圧迫しデータ通信速度が低下してしまう。
【０００３】
また移動機は、基地局とパケット通信を行っているときにセル間を移動したとき、ハンドオーバだけでなく、位置登録を行うことがある。位置登録は、移動機が現在どのセル配下にいるのかを呼処理制御装置に知らせるために行う。移動機と呼処理制御装置は、移動機への着信を知らせるためのページングエリアをＴＡＩ  ｌｉｓｔ（ＴＡＩ  ｌｉｓｔ：Ｔｒａｃｋｉｎｇ  Ａｒｅａ  Ｉｄｅｎｔｉｔｙ  ｌｉｓｔ）として管理している。移動機は、移動先のセルの持つＴＡＩが移動機の持つＴＡＩ  ｌｉｓｔに含まれない場合、位置登録を行う。ＴＡＩは、すべてのセルに割り振られており、当該セルを管理している基地局によって移動機へ報知情報として通知される。ＴＡＩ  ｌｉｓｔを使った位置登録は、例えば非特許文献２に記載されている。ＴＡＩ  ｌｉｓｔは、複数の移動機にとって、それぞれ異なる組み合わせのＴＡＩで構成することが可能であるが、ＴＡＩ  ｌｉｓｔに格納できるＴＡＩ数は１６個となっているため組み合わせには限りがある。そのため、ＴＡＩの組み合わせによっては、複数のＵＥ（Ｕｓｅｒ  Ｅｑｕｉｐｍｅｎｔ）が同じセルで位置登録を発生させてしまうことがある。
【先行技術文献】
【特許文献】
【０００４】
【特許文献１】特開２００８−１９３２６１号公報（Ｐ２００８−１９３２６１Ａ）
【非特許文献】
【０００５】
【非特許文献１】３ＧＰＰ（３ｒｄ  ｇｅｎｅｒａｔｉｏｎ  ｐａｒｔｎｅｒｓｈｉｐｓ）  ３ＧＰＰ  ＴＳ  ２３．４０１  Ｖ９．１．０
【非特許文献２】３ＧＰＰ（３ｒｄ  ｇｅｎｅｒａｔｉｏｎ  ｐａｒｔｎｅｒｓｈｉｐｓ）  ３ＧＰＰ  ＴＳ  ２４．３０１  Ｖ８．２．１
【発明の概要】
【発明が解決しようとする課題】
【０００６】
移動機と基地局との間でパケット通信を行っているときにセル間を移動すると、ハンドオーバだけでなく位置登録が同時に発生することがある。非特許文献１では、ハンドオーバと位置登録とが同時発生した場合の処理について規定している。この場合、物理共有チャネル上でハンドオーバと位置登録によるシグナリング通信が発生するため、どちらか片方のシグナリング通信よりも物理共有チャネルを圧迫する。また、電車やバスに乗った多くの移動機がセル間を移動したためにハンドオーバと位置登録が同時に発生した場合、ある特定のセル間の境界でシグナリングトラヒックが大量に発生するため物理共有チャネルをさらに圧迫する。物理共有チャネルが圧迫されると、移動機と基地局間の無線状態が輻輳し、データ通信速度が局地的に低下してしまう。
【０００７】
上述のようにデータ通信中の複数の移動機がセル間を移動したとき、移動先のセルでハンドオーバと位置登録が同時発生することがある。このとき、セル境界では複数の移動機と基地局間で大量のシグナリングトラヒックが発生するため、物理共有チャネルを圧迫しデータ通信速度が局地的に低下してしまうという課題があった。
本発明は、以上の点に鑑み、ハンドオーバと位置登録の同時発生による物理共有チャネルの輻輳を低減させる位置登録エリア割り当て方法及び無線通信システムを提供することを目的とする。
【課題を解決するための手段】
【０００８】
本発明は、ハンドオーバの処理中に位置登録を発生させないようなＴＡＩ割り当て方法を提供する。
呼処理制御装置は、複数の移動機による特定のセル間移動において、ハンドオーバと位置登録との同時発生処理が単位時間当たりに何回発生したのかを常時カウントする。呼処理制御装置は、カウントした回数が、あらかじめ設定したおいた閾値を超えた場合、ハンドオーバと位置登録の同時発生による物理共有チャネルが輻輳していることを、移動元と移動先のセル情報と合わせて監視制御サーバに通知する。呼処理制御装置からの通知を受信した監視制御サーバは、輻輳が発生した移動先のセルと移動元のセルのＴＡＩを同じ値になるようにＴＡＩ変更要求メッセージを基地局へ送信する。監視制御サーバからＴＡＩ変更要求メッセージを受信した２つの基地局は、自身のＴＡＩ値をそれぞれ変更する。
本無線通信システムは、データ通信速度の局地的な減少を抑えるために、ハンドオーバと位置登録を場所的に分離する。
【０００９】
本発明の第１の解決手段によると、
基地局と通信する移動機がセル間を移動する際にハンドオーバ処理を実行し、該移動機が保持するエリア識別子と基地局から受信されるセルのエリア識別子が異なる場合に該移動機がどのセル配下にいるかを通知するための位置登録処理を実行する無線通信システムにおける位置登録エリア割当方法であって、
任意の移動機について、予め定められた時間間隔内に、第１セルと第２セル間でハンドオーバ処理と位置登録処理との双方が発生したことを検出し、
検出された回数をカウントし、
カウントされた回数が、予め定められた閾値を超えた場合に、第１セルと第２セルのエリア識別子を共通の識別子に変更して、他の移動機の第１セル及び第２セル間でのハンドオーバ処理と、該他の移動機の位置登録処理の発生タイミングを時間的に分離する前記位置登録エリア割当方法が提供される。
【００１０】
本発明の第２の解決手段によると、
移動機がセル間を移動する際にハンドオーバ処理を実行し、該移動機が保持するエリア識別子と基地局から受信されるセルのエリア識別子が異なる場合に該移動機がどのセル配下にいるかを通知するための位置登録処理を実行する無線通信システムにおいて、該無線通信システムは、
前記移動機と通信する基地局と、
ハンドオーバ処理及び位置登録処理を実行する呼処理制御装置と、
セルにエリア識別子を割り当てる監視制御サーバと
を備え、
前記呼処理制御装置は、
任意の移動機について、予め定められた時間間隔内に、第１セルと第２セル間でハンドオーバ処理と位置登録処理との双方が発生したことを検出し、
検出された回数をカウントし、
カウントされた回数が予め定められた閾値を超えた場合に、前記監視制御サーバに通知し、
前記監視制御サーバは、
該通知に従い、第１セルと第２セルのエリア識別子を共通の識別子に変更して、他の移動機の第１セル及び第２セル間のハンドオーバ処理と、該他の移動機の位置登録処理の発生タイミングを時間的に分離する前記無線通信システムが提供される。
【発明の効果】
【００１１】
本発明によると、呼処理制御装置が輻輳の発生したセルを自動的に検出し、輻輳の発生した２つの隣り合うセルのＴＡＩの値を同じにしたために、データ通信中の複数の移動機がセル間を移動しても、ハンドオーバしか発生しなくなり、位置登録は別のセル間移動で発生するようになる。本発明によると、ハンドオーバと位置登録を場所的に分離することができるため、ハンドオーバと位置登録の同時発生による物理共有チャネルの輻輳を低減させることが可能となる。
【図面の簡単な説明】
【００１２】
【図１】データ通信中の複数の移動機がセル間を移動する前のシステム構成図を示した図である。
【図２】無線端末の構成を示すブロック図である。
【図３】基地局の構成を示すブロック図である。
【図４】呼処理制御装置の構成を示すブロック図である。
【図５】監視制御サーバの構成を示すブロック図である。
【図６】データ通信中の複数の移動機がセル間を移動し、ハンドオーバと位置登録が移動先のセルで同時発生したこと示すシステム構成図である。
【図７】２つの隣接するセルのＴＡＩの値を同じにしたために、データ通信中の複数の移動機がセル間を移動しても、ハンドオーバと位置登録とが移動先のセルで同時発生しなくなったこと示すシステム構成図である。
【図８】ハンドオーバと位置登録とを同時発生させないようなＴＡＩの再割り当てを示すシーケンス図である。
【図９】データ通信中の移動機の位置登録情報データベースの情報要素を示した図である。
【図１０】基地局の基地局情報データベースの情報要素を示した図である。
【図１１】呼処理制御装置の基地局情報データベース、位置登録情報データベース、シグナリング低減用パラメータデータベースの情報要素を示した図である。
【図１２】監視制御サーバの基地局情報データベースの情報要素を示した図である。
【図１３】移動機が位置登録を行った後の呼処理制御装置の位置登録情報データベースを示した図である。
【図１４】移動機の位置登録情報データベースを示した図である。
【図１５】ハンドオーバと位置登録の連続発生回数Ｍが閾値Ｎを超えたことを示す図である。
【図１６】監視制御サーバの基地局情報データベースの情報要素を示した図である。
【図１７】基地局の基地局情報データベースの情報要素を示した図である。
【図１８】基地局がＴＡＩ値を修正したために、当該基地局に在圏する移動機が位置登録を行った後の移動機の位置登録情報データベースを示した図である。
【図１９】呼処理制御装置の位置登録情報データベースと、基地局情報データベースの情報要素を示した図である。
【図２０】ＴＡＩの再割り当て後の位置登録とハンドオーバを示したシーケンス図である。
【図２１】移動機の位置登録情報データベースを示した図である。
【図２２】基地局の基地局情報データベースを示した図である。
【図２３】呼処理制御装置の基地局情報データベースを示した図である。
【図２４】呼処理制御装置の位置登録情報データベースを示した図である。
【図２５】呼処理制御装置のシグナリング低減用パラメータデータベースを示した図である。
【図２６】監視制御サーバの基地局情報データベースを示した図である。
【図２７】移動機が位置登録を行った後の呼処理制御装置の位置登録情報データベースを示した図である。
【図２８】移動機の位置登録情報データベースを示した図である。
【発明を実施するための形態】
【００１３】
以下、本発明の実施の形態について、図面を参照して詳細に説明する。
図１は、本実施の形態を適用する無線通信システムの構成を示す図である。本実施の形態では移動機（無線端末）の数を４台に限定して説明するが、移動機が何台あってもよく、同様の処理を行うことが可能である。
【００１４】
無線通信システムは、移動機Ａ１００−１、移動機Ｂ１００−２、移動機Ｃ１００−３、移動機Ｄ１００−４と、基地局Ａ１０１−１、基地局Ｂ１０１−２、基地局Ｃ１０１−３と、呼処理制御装置１０２と、ゲートウェイ１０３と、インターネット網１０４と、監視制御サーバ１０５とを備える。基地局Ａ１０１−１と基地局Ｂ１０１−２と基地局Ｃ１０１−３は、セル１０６（セルａ１０６−１、セルｄ１０６−２）を管理する。移動機１００と基地局１０１は無線で通信を行う。基地局１０１と呼処理制御装置１０２とゲートウェイ１０３と監視制御サーバ１０５は有線にてメッシュ状で接続される。ゲートウェイ１０３は、インターネット網１０４と接続される。移動機１００は、基地局１０１およびゲートウェイ１０３を介してインターネット網１０４に位置するサーバとの間でデータの送受信を行う。
【００１５】
移動機１００は基地局１０１を介して呼処理制御装置１０２とハンドオーバと位置登録を実施する。例えば、データ通信中の移動機１００−１、１００−２がセルａ１０６−１からセルｄ１０６−２に移動すると、移動機１００−１、１００−２は、基地局Ｂ１０１−２に対してハンドオーバ要求を送信する。基地局Ｂ１０１−２は、基地局Ａ１０１−１とハンドオーバを行い、処理結果を呼処理制御装置１０２へ通知する。データ通信中の移動機１００−１、１００−２は、在圏セルのＴＡＩが自身の持つＴＡＩ  ｌｉｓｔに含まれない場合、位置登録を行う。例えば、データ通信中の移動機１００−１、１００−２がセルａ１０６−１からセルｄに移動し、移動先のセルｄ１０６−２のＴＡＩの値が自身のメモリ等に記憶されたＴＡＩ  ｌｉｓｔに含まれない場合、移動機１００−１、１００−２は、それぞれ位置登録を行う。移動機１００−１、１００−２は、無線上で基地局Ｂ１０１−２に対してそれぞれ位置登録メッセージを送信する。ここでは、位置登録メッセージは、例えば移動先のセルｄ１０６−２のＴＡＩの値を含む。基地局Ｂ１０１−２は、移動機１００−１、１００−２から受信した位置登録メッセージを呼処理制御装置１０２へ転送する。呼処理制御装置１０２は、位置登録メッセージを受信すると基地局Ｂ１０１−１のセルｄの配下に移動機１００−１、１００−２が在圏していることを認識し、移動機とＴＡＩの値の対応を記憶する。
【００１６】
図２は、移動機１００の構成を示すブロック図である。
移動機１００は、送受信アンテナ２００と、各アンテナ２００に接続された無線アナログ部２０１と、無線アナログ部２０１と接続されたデジタル信号処理部２０２と、デジタル信号処理部２０２と接続された呼処理部２０３とを備える。
ここで、無線アナログ部２０１は、アンテナ２００を介して受信した基地局１０１からのアナログ信号をデジタル信号に変換し、デジタル信号処理部２０２に出力する。また、無線アナログ部２０１は、デジタル信号処理部２０２から受信したデジタル信号をアナログ信号に変換し、アンテナ２００を介して基地局１０１に送信する。デジタル信号処理部２０２は、無線アナログ部２０１からの信号の復調や基地局１０１への信号の変調を行う。呼処理部２０３は、プロセッサ（制御部）２１０と、プロセッサ２１０が実行するプログラム等を格納するメモリ２１１と、呼処理制御装置１０２から送信されるＴＡＩ  ｌｉｓｔを格納する位置登録情報データベース２１２とを備える。
【００１７】
移動機１００は、データ通信中にセル間を移動すると基地局１０１に対してハンドオーバ要求を送信する機能と、移動先のセルのＴＡＩの値が自身の持つＴＡＩ  ｌｉｓｔに含まれないことを検知したことを契機に基地局１０１へ位置登録メッセージを送信する機能とを有する。これらの機能は、例えば、メモリ２１１に格納されたプログラムがプロセッサ２１０で実行されることで実現される。他の装置についても同様である。
【００１８】
図３は、基地局１０１の構成を示すブロック図である。
基地局１０１は、送受信アンテナ３００と、アンテナ３００の各々に接続された無線アナログ部３０１と、これら無線アナログ部３０１と接続されたデジタル信号処理部３０２と、デジタル信号処理部３０２と接続された呼処理部３０４と、呼処理部３０４と接続された回線インタフェース部３０３とを備える。回線インタフェース部３０３は、呼処理制御装置１０２と、ゲートウェイ１０３と、監視制御サーバ１０５とも接続される。
【００１９】
ここで、無線アナログ部３０１は、アンテナ３００を介して受信した移動機１００からのアナログ信号をデジタル信号に変換し、デジタル信号処理部３０２に出力する。また、無線アナログ部３０１は、デジタル信号処理部３０２から受信したデジタル信号をアナログ信号に変換し、アンテナ３００を介して移動機１００に送信する。デジタル信号処理部３０２は、無線アナログ部３０１からの信号の復調や移動機１００への信号の変調を行う。呼処理部３０４は、プロセッサ（制御部）３１０と、プロセッサ３１０が実行するプログラム等を格納するメモリ３１１と、基地局１０１のトラッキングエリア識別子であるＴＡＩとを格納する基地局情報データベース３１２とを備える。
【００２０】
基地局１０１は、移動機１００から送信された位置登録メッセージを呼処理制御装置１０２へ送信する機能と、呼処理制御装置１０２から送信された位置登録メッセージの応答を移動機１００へ送信する機能と、移動機１００から送信されたハンドオーバ要求の情報をもとに移動元のセルとセル切り替えを行う機能と、セル切り替えを行った結果としてハンドオーバ指示を移動機１００に送信する機能と、ハンドオーバの結果どのセルからどのセルへ切り替えたのかを呼処理制御装置１０２に送信する機能と、監視制御サーバ１０５からＴＡＩの変更要求を受信したことを契機に自身のＴＡＩを変更する機能と、ＴＡＩが変更したことを呼処理制御装置１０２へ通知する機能とを備える。
【００２１】
図４は、呼処理制御装置１０２の構成を示すブロック図である。
呼処理制御装置１０２は、基地局１０１とゲートウェイ１０３と監視制御サーバ１０５と接続された回線インタフェース部４００と、回線インタフェース部４００と接続された呼処理部４０１とを備える。
【００２２】
ここで、呼処理部４０１は、プロセッサ（制御部）４１０と、プロセッサ４１０が実行するプログラム等を格納するメモリ４１１と、ＴＡＩ  ｌｉｓｔを格納する位置登録情報データベース４１２と、基地局１０１のトラッキングエリア識別子であるＴＡＩを格納する基地局情報データベース４１３と、ハンドオーバと位置登録が同時発生したかどうかを検出するためのタイマと基地局１０１からハンドオーバ結果の通知を受信しどのセルからどのセルへ移動したのかのセル移動情報と移動機１００が位置登録要求メッセージを送信した在圏セル情報とハンドオーバと位置登録とが連続発生した回数とハンドオーバと位置登録の同時発生現象が規定回数以上発生したことを検出するための閾値とを格納するシグナリング低減用パラメータデータベース４１４とを備える。
【００２３】
呼処理制御装置１０２は、移動機１００によって行われたハンドオーバと位置登録とが同時発生したかどうかを判定する機能と、基地局１０１からハンドオーバ結果の通知を受信しどのセルからどのセルへ移動したのかを記憶する機能と、移動機１００によって行われた位置登録がどのセルで行われたのかを記憶する機能と、ハンドオーバと位置登録とが同時発生した回数をカウントする機能と、ハンドオーバと位置登録とが同時発生した回数が規定数を超えた場合にハンドオーバと位置登録とにより移動機１００と基地局１０１間の物理共有チャネルが圧迫していると判定する機能と、移動機１００と基地局１０１間の物理共有チャネルが圧迫したことを監視制御サーバ１０５に通知する機能と、基地局１０１から転送された位置登録要求メッセージからどのセルで位置登録が発生したのかを記憶する機能と、移動機１００から通知された位置登録メッセージの情報要素をもとに新しいページングエリアとしてＴＡＩ  ｌｉｓｔを新たに導出する機能と、基地局からのＴＡＩ変更通知を受信したことを契機に基地局データベース４１３のＴＡＩ値を更新する機能とを備える。
【００２４】
図５は、監視制御サーバ１０５の構成を示すブロック図である。
監視制御サーバ１０５は、基地局１０１と呼処理制御装置１０２とゲートウェイ１０３と接続された回線インタフェース部５００と、回線インタフェース部５００と接続された呼処理部５０１とを備える。
【００２５】
ここで、呼処理部５０１は、プロセッサ（制御部）５１０と、プロセッサ５１０が実行するプログラム等を格納するメモリ５１１と、基地局１０１のトラッキングエリア識別子であるＴＡＩを格納する基地局情報データベース５１２とを備える。
監視制御サーバ１０５は、呼処理制御装置１０２からのハンドオーバと位置登録の同時発生による負荷通知を受信したことを契機にＴＡＩの再割り当て処理を開始する機能と、基地局へＴＡＩを変更するように要求するメッセージを送信する機能とを備える。
【００２６】
図６は、データ通信中の移動機Ａ１００−１と移動機Ｂ１００−２がセル間を移動し、ハンドオーバと位置登録が移動先のセルで同時発生したこと示すシステム構成図である。移動機Ａ１００−１と移動機Ｂ１００−２が同時に位置登録とハンドオーバを行ったため、セルａ１０６−１とセルｄ１０６−２のセルエッジにあたるエリアで、位置登録とハンドオーバによるシグナリングトラヒックで物理共有チャネルが圧迫される。物理共有チャネルが圧迫されたために、移動機Ａ１００−１と移動機Ｂ１００−２のデータ通信速度が局地的に低下する。図６では、移動機Ａ１００−１と移動機Ｂ１００−２の２台だけがセルａセルａ１０６−１とセルｄ１０６−２間を移動する様子を図示したが、実際は電車やバスに乗った数十台の移動機が一度にセル間を移動することがある。電車やバスに乗った数十台の移動機がデータ通信中でかつ位置登録を行った場合、両セル間のセルエッジにあたるエリアで大量のシグナリングトラヒックが発生する。大量のシグナリングトラヒックは、データ通信で使用する物理共有チャネルを大量に圧迫するため、局地的にデータ通信速度が低下する。
【００２７】
図７は、２つの隣接するセルのＴＡＩの値を同じにしたために、データ通信中の複数の移動機がセル間を移動しても、ハンドオーバと位置登録とが移動先のセルで同時発生しなくなったこと示すシステム構成図である。セルａ１０６−１とセルｄ１０６−２のＴＡＩの値を同じにすれば、セルａ１０６−１とセルｄ１０６−２間では位置登録は発生しない。位置登録は、セルａ１０６−１とセルｄ１０６−２間以外のセル間移動で発生するようになる。ハンドオーバと位置登録を場所的に分離すると、ハンドオーバと位置登録によるシグナリングトラヒックの大量発生を軽減することが可能となる。シグナリングトラヒックの大量発生を軽減すると、セルａ１０６−１とセルｄ１０６−２のセルエッジにあたるエリアでの物理共有チャネルの圧迫を防ぐことができ、データ通信速度の局地的な低下を防ぐことができる。図８と図２０では、具体的な処理方法についてシーケンス図を使って説明する。
【００２８】
図８は、ハンドオーバと位置登録とを同時発生させないようなＴＡＩの再割り当てを示すシーケンス図である。
【００２９】
図９と図１０と図１１と図１２は、各データベースの構成と、本実施の形態を説明するのに使用する各装置の初期の情報要素を示した図である。
データ通信中の移動機Ａ１００−１、移動機Ｂ１００−２、移動機Ｃ１００−３、移動機Ｄ１００−４の位置登録情報データベース２１２の情報要素を図９（ａ）、図９（ｂ）、図９（ｃ）、図９（ｄ）に示す。移動機１００の位置登録情報データベース２１２には、ＴＡＩ  ｌｉｓｔにＴＡＩの値が格納される。また、基地局Ａ１０１−１と基地局Ｂ１０１−２と基地局Ｃ１０１−３の基地局情報データベース３１２の情報要素を図１０（ａ）、図１０（ｂ）、図１０（ｃ）に示す。基地局１０１の基地局情報データベース３１２には、基地局配下のセル毎にＴＡＩの値が格納される。呼処理制御装置１０２の基地局情報データベース４１３の情報要素、位置登録情報データベース４１２の情報要素、呼処理制御装置１０２のシグナリング低減用パラメータデータベース４１４の情報要素を図１１（ａ）、図１１（ｂ）、図１１（ｃ）に示す。呼処理制御装置１０２の基地局情報データベース４１３には、基地局及びセル毎に、ＴＡＩの値が格納される。呼処理制御装置１０２の位置登録情報データベース４１２には、移動機毎のＴＡＩ  ｌｉｓｔが格納される。呼処理制御装置１０２のシグナリング低減用パラメータデータベース４１４には、カウントリセット用タイマＴ１と、輻輳検出用タイマＴ２と、各セル間移動における、単位時間当たりのハンドオーバと位置登録の連続発生回数Ｍと閾値Ｎとが格納される。監視制御サーバ１０５の基地局情報データベース５１２の情報要素を図１２に示す。監視制御サーバ１０５の基地局情報データベース５１２には、基地局配下のセル毎にＴＡＩの値が格納される。
【００３０】
図８の動作開始時には、例えば、以下のように各データベースに初期の情報が格納される。
図９（ａ）の移動機Ａ１００−１の位置登録情報データベース２１２には、ＴＡＩ  ｌｉｓｔにＴＡＩの値として１が予め格納されている（ステップ８０１）。移動機Ａ１００−１は、在圏しているセルのＴＡＩが１以外に変化した場合に位置登録を行う。
【００３１】
図９（ｂ）移動機Ｂ１００−２の位置登録情報データベース２１２には、ＴＡＩ  ｌｉｓｔにＴＡＩの値として１が予め格納されている（ステップ８０２）。移動機Ｂ１００−２は、在圏しているセルのＴＡＩが１以外に変化した場合に位置登録を行う。
【００３２】
図１０（ａ）の基地局情報データベース３１２には、基地局Ａ１０１−１配下のセルａ１０６−１にＴＡＩの値として１が設定されている（ステップ８０３）。基地局Ａ１０１−１は、セルａ１０６−１がＴＡＩ＝１で管理されていることを移動機１００へ報知情報として通知する。基地局Ａ１０１−１は、監視制御サーバ１０５からＴＡＩ値を変更するように要求された場合、基地局情報データベース３１２の要求の対象となっているセルに対応するＴＡＩ値を変更する。
【００３３】
図１０（ｂ）の基地局情報データベース３１２には、基地局Ｂ１０１−２配下のセルｄ１０６−２にＴＡＩに２が設定されている（ステップ８０４）。基地局Ｂ１０１−２は、セルｄ１０６−２がＴＡＩ２で管理されていることを移動機１００へ報知情報として通知する。基地局Ｂ１０１−２は、監視制御サーバ１０５からＴＡＩ値を変更するように要求された場合、基地局情報データベース３１２の要求の対象となっているセルに対応するＴＡＩ値を変更する。
【００３４】
図１１（ａ）の基地局情報データベース４１３には、基地局Ａ１０１−１と基地局Ｂ１０１−２に設定されているＴＡＩと同じ値が設定されている。基地局Ａ１０１−１と基地局Ｂ１０１−２は、呼処理制御装置１０２へあらかじめＴＡＩ値を通知している。呼処理制御装置１０２は、基地局１０１からＴＡＩ値を通知されるたびに自身の基地局情報データベース４１３を更新する。
【００３５】
図１１（ｂ）の位置登録情報データベース４１２には、移動機Ａ１００−１、移動機Ｂ１００−２が所持するＴＡＩ  ｌｉｓｔと同じ値が設定されている。移動機Ａ１００−１、移動機Ｂ１００−２は、基地局Ａ１０１−１が管理するセルａ１０６−１と基地局Ｂ１０１−２が管理するセルｄ１０６−２から報知されているＴＡＩの値がＴＡＩ  ｌｉｓｔに含まれない場合に位置登録を行い、呼処理制御装置１０２へ位置登録要求メッセージを送信する。呼処理制御装置１０２は、移動機１００が位置登録を行うたびに位置登録情報データベース４１２のＴＡＩ  ｌｉｓｔの値を更新する。
【００３６】
図１１（ｃ）のシグナリング低減用パラメータデータベース４１４には、上述のように、カウントリセット用タイマＴ１と、輻輳検出用タイマＴ２と、各セル間移動における、単位時間当たりのハンドオーバと位置登録の連続発生回数Ｍと閾値Ｎとを格納している。
【００３７】
カウントリセット用タイマＴ１とは、移動機１００が行ったハンドオーバと位置登録が連続発生したのかどうかを検出するためのタイマである。呼処理制御装置１０２が移動機１００からハンドオーバが開始されたことを検出するとタイマを始動する。タイマが満了するまでに同じ移動機１００からの位置登録メッセージを受信するとハンドオーバと位置登録が連続発生したと判定する。本タイマが満了した場合、呼処理制御装置１０２は、ハンドオーバと位置登録が連続で発生しなかったと判定する。
【００３８】
輻輳検出用タイマＴ２とは、単位時間当たりのハンドオーバと位置登録の連続発生回数をリセットするためのタイマである。呼処理制御装置１０２は、無線通信サービスを開始すると直ちに輻輳検出用タイマを起動する。輻輳検出用タイマが満了する前に単位時間当たりのハンドオーバと位置登録の連続発生回数が閾値を超過すると、ハンドオーバと位置登録が過剰に連続発生していると判定する。本タイマが満了した場合、呼処理制御装置１０２は、単位時間当たりのハンドオーバと位置登録の連続発生回数を０にリセットする。
【００３９】
単位時間当たりのハンドオーバと位置登録の連続発生回数Ｍとは、ハンドオーバと位置登録の連続発生現象が単位時間当たりに何回発生したのかを示す情報要素である。本実施の形態では、複数の移動機によりセルａ１０６−１とセルｄ１０６−２間でハンドオーバと位置登録が大量に発生し、Ｍが９９回とカウントされていたものとする（ステップ８０５）。
【００４０】
閾値Ｎとは、単位時間当たりのハンドオーバと位置登録の連続発生回数Ｍが一定値を超えたのかどうかを検出するための情報要素である。本実施の形態では、Ｎ＝１００回とする（ステップ８０５）。単位時間当たりのハンドオーバと位置登録の連続発生回数Ｍが閾値Ｎを超えた場合、呼処理制御装置１０２は、監視制御サーバ１０５に対してハンドオーバと位置登録が連続発生し無線区間の物理共有チャネルを圧迫していることを通知する。単位時間当たりのハンドオーバと位置登録の連続発生回数Ｍが閾値Ｎを超えない場合、呼処理制御装置１０２は何もしない。
【００４１】
図１２の基地局情報データベース５１２には、基地局Ａと基地局Ｂ１０１−２の所持するＴＡＩと同じ値が設定されている。基地局Ａ１０１−１と基地局Ｂ１０１−２は、監視制御サーバ１０５からあらかじめ設定すべきＴＡＩを通知された値を設定している。基地局Ａ１０１−１と基地局Ｂ１０１−２は、監視制御サーバ１０５からＴＡＩを通知されるたびに自身の基地局情報データベース３１２を更新する。監視制御サーバ１０５は、呼処理制御装置１０２から単位時間当たりのハンドオーバと位置登録の連続発生回数が閾値を超えたことを通知されると、自身の基地局情報データベース５１２の対象基地局のＴＡＩ値を更新し、基地局１００へＴＡＩ値を変更するように要求する。
【００４２】
図８に戻り、動作を説明する。
移動機Ａ１００−１と移動機Ｂ１００−２は、データ通信を行っている状態（アクティブ状態）で、基地局Ａ１０１−１のセルａ１０６−１から基地局Ｂ１０１−２のセルｄ１０６−２に移動する（ステップ８０６）。移動機Ａ１００−１と移動機Ｂ１００−２は、データ通信中にセル間を移動したのでハンドオーバを行うように基地局Ｂ１０１−２に要求する（ステップ８０７）。基地局Ｂ１０１−２は、基地局Ａ１０１−１とハンドオーバを行い、呼処理制御装置１０２へハンドオーバを実施したことを通知する（ステップ８０８）。
【００４３】
呼処理制御装置１０２は、基地局Ｂ１０１−２からハンドオーバ実施通知を受信するとタイマＴ１を始動する（ステップ８０９）。なお、呼処理制御装置１０２は、タイマＴ１が満了するまでに同じ移動機１００から位置登録が開始されたことを検出するとハンドオーバと位置登録が連続発生したと判定し、呼処理制御装置１０２のシグナリング低減用パラメータデータベース４１４の単位時間当たりのハンドオーバと位置登録の連続発生回数Ｍを移動機ごとに１ずつインクリメントする。例えば、該当する２つのセルに対応する連続発生回数Ｍをインクリメントする。本タイマが満了した場合、呼処理制御装置１０２は、ハンドオーバと位置登録が連続で発生しなかったと判定する。
【００４４】
移動機Ａ１００−１と移動機Ｂ１００−２は、基地局Ｂ１０１−２のセルｄ１０６−２から報知されているＴＡＩ２が自身の所持するＴＡＩ  ｌｉｓｔに含まれていないので、基地局Ｂ１０１−２を介して呼処理制御装置１０２へ位置登録要求を送信する（ステップ８１０）。移動機Ａ１００−１と移動機Ｂ１００−２と呼処理制御装置１０２は、基地局Ｂ１０１−２を介して位置登録を行い、ＴＡＩ  ｌｉｓｔを更新する（ステップ８１１）。
【００４５】
図１３は、移動機Ａ１００−１と移動機Ｂ１００−２が位置登録を行った後の位置登録情報データベース４１２を示した図である。呼処理制御装置１０２は、移動機Ａ１００−１と移動機Ｂ１００−２が位置登録を行った後、位置登録情報データベース４１２の移動機Ａ１００−１と移動機Ｂ１００−２のＴＡＩ  ｌｉｓｔの値をＴＡＩ＝１、２にそれぞれ更新する。
【００４６】
呼処理制御装置１０２は、移動機Ａ１００−１と移動機Ｂ１００−２のＴＡＩ  ｌｉｓｔにＴＡＩ＝１に加えて、位置登録を行ったセルｄ１０６−２のＴＡＩ＝２を含めて移動機へＴＡＩ  ｌｉｓｔを送信する。呼処理制御装置１０２は、タイマＴが満了するまでに移動機Ａ１００−１と移動機１００−２から位置登録メッセージを受信したのでセルａとセルｄ間でハンドオーバと位置登録が連続発生したと判定し、呼処理制御装置１０２のシグナリング低減用パラメータデータベース４１４の単位時間当たりのハンドオーバと位置登録の連続発生回数Ｍを２回分インクリメントする。ここでは、セル移動情報がセルａ−セルｄである連続発生回数Ｍがインクリメントされる。呼処理制御装置１０２のシグナリング低減用パラメータデータベース４１４において、セルａ−セルｄに対応する単位時間当たりのハンドオーバと位置登録の連続発生回数Ｍは、９９回から１０１回に増加した（図１５参照）。
【００４７】
図１４（ａ）と図１４（ｂ）は、移動機Ａ１００−１と移動機Ｂ１００−２の位置登録情報データベース２１２を示した図である。
移動機Ａ１００−１は、呼処理制御装置１０２から送信されたＴＡＩ  ｌｉｓｔ（ＴＡＩ＝１、２）を位置登録情報データベース２１２に設定する（ステップ８１２）。移動機Ｂ１００−２は、呼処理制御装置１０２から送信されたＴＡＩ  ｌｉｓｔ（ＴＡＩ＝１、２）を位置登録情報データベース２１２に設定する（ステップ８１３）。
【００４８】
呼処理制御装置１０２は、呼処理制御装置１０２のシグナリング低減用パラメータデータベース４１４の単位時間当たりのハンドオーバと位置登録の連続発生回数Ｍが閾値Ｎを超過したのかどうかを判定する（ステップ８１４）。この処理は定期的に行ってもよいし、位置登録実行時に行うようにしてもよい。
【００４９】
図１５は、ハンドオーバと位置登録の連続発生回数Ｍが閾値Ｎを超えたことを示す図である。移動機Ａ１００−１と移動機Ｂ１００−２が行ったハンドオーバ後、タイマＴが満了するまでに位置登録を行ったため、呼処理制御装置１０２は、ハンドオーバと位置登録の連続発生回数Ｍを２回分増加させる。Ｍが９９回から１０１回に増加し閾値Ｎ＝１００を超過したので、呼処理制御装置は、セルａからセルｄへのハンドオーバと位置登録の連続発生により物理共有チャネルが圧迫されていると判定する。
【００５０】
呼処理制御装置１０２は、セルａ１０６−１からセルｄ１０６−２へのハンドオーバと位置登録の連続発生により物理共有チャネルが圧迫されていることを監視制御サーバ１０５へ通知する（ステップ８１５）。監視制御サーバ６１５は、呼処理制御装置１０２からセルａ１０６−１からセルｄ１０６−２間で位置登録が発生しないようにするために、セルａ１０６−１とセルｄ１０６−２に同じＴＡＩ値に変更する。監視制御サーバ１０５は、セルａ１０６−１とセルｄ１０６−２に割り振るＴＡＩ値として、例えば呼処理制御装置１０２が現在使用していないＴＡＩ値を選択する。
【００５１】
図１６は、監視制御サーバ１０５の基地局情報データベース５１２の情報要素を示した図である。監視制御サーバ６１５は、呼処理制御装置１０２からセルａ１０６−１からセルｄ１０６−２間で位置登録が発生しないようにするために、セルａ１０６−１とセルｄ１０６−２に同じＴＡＩ＝１０を設定した。
【００５２】
監視制御サーバ１０５は、設定したセルａ１０６−１とセルｄ１０６−２のＴＡＩ値を基地局Ａ１０１−１と基地局Ｂ１０１−２に送信する（ステップ８１７）。基地局Ａ１０１−１と基地局Ｂ１０１−２は、監視制御サーバから指定されたＴＡＩ値を承認する処理を開始する  （ステップ８１８）。基地局Ａ１０１−１と基地局Ｂ１０１−２のＴＡＩ値を変更すると、当該基地局に在圏する全ての移動機１００から一斉に位置登録が行われる。そこでステップ８１８では、セルａ１０６−１とセルｄ１０６−２に在圏する全ての基地局１０１からの位置登録により無線区間を圧迫させることを防ぐために、基地局１０１は、例えば、一部の移動機に対してアクセス規制を行い一度に位置登録を上げさせない処理を行う、通信量の少ない深夜等の予め定められた時間帯にＴＡＩを変更する、または、ＴＡＩ値を変更するかどうかは保守者によって最終判断を任せ、例えば現在変更するか否かの指示を入力する、変更する所望の時間を入力する、といった処理を行う。また、セルａとセルｄに在圏する移動機の数が予め定められた閾値（第２閾値）以下であればＴＡＩ値を変更し、閾値より大きい場合に上述の処理を行ってもよい。
【００５３】
図１７（ａ）と図１７（ｂ）は、基地局Ａ１０１−１と基地局Ｂ１０１−２の基地局情報データベース３１２の情報要素を示した図である。基地局Ａ１０１−１は、ＴＡＩ値が承認されると、監視制御サーバ１０５から通知されたＴＡＩ＝１０を基地局１０１の基地局情報データベース３１２に設定する（ステップ８１９）。同様に、基地局Ｂ１０１−２は、監視制御サーバ１０５から通知されたＴＡＩ＝１０を基地局１０１の基地局情報データベース３１２に設定する（ステップ８２０）。
基地局Ａ１０１−１と基地局Ｂ１０１−２は、ＴＡＩの値が変わったことを呼処理制御装置１０２に通知する（ステップ８２１）。
【００５４】
図１８（ａ）、図１８（ｂ）、図１８（ｃ）、図１８（ｄ）は、基地局Ａ１０１−１と基地局Ｂ１０１−２がＴＡＩ値を修正したために、基地局Ａ１０１−１と基地局Ｂ１０１−２に在圏する移動機Ａ１００−１、移動機Ｂ１００−２、移動機Ｃ１００−３、移動機Ｄ１００−４が位置登録を行った後の移動機Ａ１００−１、移動機Ｂ１００−２、移動機Ｃ１００−３、移動機Ｄ１００−４の位置登録情報データベース２１２を示した図である。移動機Ａ１００−１、移動機Ｂ１００−２、移動機Ｃ１００−３、移動機Ｄ１００−４は、基地局Ａ１０１−１と基地局Ｂ１０１−２からＴＡＩ＝１０を報知情報として受信したことを契機に位置登録を行う（ステップ８２２）。移動機Ａ１００−１、移動機Ｂ１００−２、移動機Ｃ１００−３、移動機Ｄ１００−４による位置登録手順は、図８のステップ８１０と８１１と同じ手順である。
【００５５】
図１９（ａ）と図１９（ｂ）は、呼処理制御装置１０２の位置登録情報データベース４１２と、呼処理制御装置１０２の基地局情報データベース４１３の情報要素を示した図である。移動機Ａ１００−１、移動機Ｂ１００−２、移動機Ｃ１００−３、移動機Ｄ１００−４から位置登録要求を受けた呼処理制御装置１０２は、位置登録情報データベース４１２の移動機Ａ１００−１のＴＡＩ  ｌｉｓｔをＴＡＩ＝１、２、１０に、移動機Ｂ１００−２のＴＡＩ  ｌｉｓｔをＴＡＩ＝１、２、１０に、移動機Ｃ１００−３のＴＡＩ  ｌｉｓｔをＴＡＩ＝１、１０に、移動機Ｄ１００−４のＴＡＩ  ｌｉｓｔをＴＡＩ＝１、１０にそれぞれ更新する。
基地局Ａ１０１−１と基地局Ｂ１０１−２からＴＡＩの値が変わったことを通知された呼処理制御装置１０２は、基地局情報データベース４１３のセルａ１０６−１とセルｄ１０６−２のＴＡＩ値を１０へ更新する。
【００５６】
図２０は、ＴＡＩの再割り当て後の位置登録とハンドオーバを示したシーケンス図である。図８の処理により、他の移動機Ｃ、Ｄがセルａからセルｄへ移動した場合において、ハンドオーバの処理と位置登録の処理が時間的に分離されることを示す。
【００５７】
図２１（ａ）、図２１（ｂ）は、移動機Ｃ１００−３と移動機Ｄ１００−４の位置登録情報データベース２１２を示した図である。移動機Ｃ１００−３と移動機Ｄ１００−４の位置登録情報データベース２１２には、ＴＡＩ  ｌｉｓｔにＴＡＩの値としてそれぞれ１、１０が格納されている（ステップ９０１、ステップ９０２）。なお、図２１（ａ）、（ｂ）は、図１８（ｃ）、（ｄ）に対応する。移動機Ｃ１００−３と移動機Ｄ１００−４は、在圏しているセルのＴＡＩが１、１０以外に変化した場合に位置登録を行う。
【００５８】
図２２（ａ）、図２２（ｂ）は、基地局Ａ１０１−１と基地局Ｂ１０１−２の基地局情報データベース３１２を示した図である。基地局Ａ１０１−１の基地局情報データベース３１２には、基地局Ａ１０１−１配下のセルａ１０６−１にＴＡＩの値として１０が設定されている（ステップ９０３）。なお、図２２（ａ）、（ｂ）は、図１７（ａ）、（ｂ）に対応する。基地局Ａ１０１−１は、セルａ１０６−１がＴＡＩ＝１０で管理されていることを移動機１００へ報知情報として通知する。基地局Ａ１０１−１は、監視制御サーバ１０５からＴＡＩ値を変更するように要求された場合、基地局情報データベース３１２のＴＡＩ値を変更する。基地局Ｂ１０１−２の基地局情報データベース３１２には、基地局Ｂ１０１−２配下のセルｄ１０６−２にＴＡＩに１０が設定されている（ステップ９０４）。基地局Ｂ１０１−２は、セルｄ１０６−２がＴＡＩ＝１０で管理されていることを移動機１００へ報知情報として通知する。基地局Ｂ１０１−２は、監視制御サーバ１０５からＴＡＩ値を変更するように要求された場合、基地局情報データベース３１２の要求の対象となっているセルに対応するＴＡＩ値を変更する。
【００５９】
図２３は、呼処理制御装置１０２の基地局情報データベース４１３を示した図である。基地局情報データベース４１３には、基地局Ａ１０１−１と基地局Ｂ１０１−２と基地局Ｃ１０１−３に設定されているＴＡＩと同じ値が設定されている。なお、図２３は図１９（ｂ）に対応する。基地局Ａ１０１−１と基地局Ｂ１０１−２と基地局Ｃ１０１−３は、呼処理制御装置１０２へあらかじめＴＡＩ値を通知している。呼処理制御装置１０２は、基地局１０１からＴＡＩ値を通知されるたびに自身の基地局情報データベース４１３を更新する。
【００６０】
図２４は、呼処理制御装置１０２の位置登録情報データベース４１２を示した図である。位置登録情報データベース４１２には、移動機Ｃ１００−３、移動機Ｄ１００−４が所持するＴＡＩ  ｌｉｓｔと同じ値が設定されている。なお、図２４は図１９（ａ）に対応する。移動機Ｃ１００−３と移動機Ｄ１００−４は、基地局１０１から報知されてＴＡＩの値がＴＡＩ  ｌｉｓｔに含まれない場合に位置登録を行い、呼処理制御装置１０２へ位置登録要求メッセージを送信する。呼処理制御装置１０２は、移動機１００が位置登録を行うたびに位置登録情報データベース４１２のＴＡＩ  ｌｉｓｔの値を更新する。
【００６１】
図２５は、呼処理制御装置１０２のシグナリング低減用パラメータデータベース４１４を示した図である。シグナリング低減用パラメータデータベース４１４には、カウントリセット用タイマと、輻輳検出用タイマと、単位時間当たりのハンドオーバと位置登録の連続発生回数Ｍと閾値Ｎとを格納している。セルａからセルｄへの移動における単位時間当たりのハンドオーバと位置登録の連続発生回数Ｍと閾値Ｎは、図８の処理でハンドオーバと位置登録との同時発生がセルａからセルｄへの移動で起こらなくなったため、値をＮＵＬＬとする。
【００６２】
図２６は、監視制御サーバ１０５の基地局情報データベース５１２を示した図である。基地局情報データベース５１２には、基地局Ａ１０１−１と基地局Ｂ１０１−２と基地局Ｃ１０１−３が所持するＴＡＩと同じ値が設定されている。なお、図２６は図１６に対応する。
【００６３】
移動機Ｃ１００−３と移動機Ｄ１００−４は、基地局Ａ１０１−２のセルａ１０６−１から基地局Ｂ１０１−２のセルｄ１０６−２に移動したことを契機にハンドオーバを行う（ステップ９０７〜ステップ９０９）。
移動機Ｃ１００−３と移動機Ｄ１００−４は、基地局Ｂ１０１−２のセルｄ１０６−２から報知されているＴＡＩ＝１０が自身の所持するＴＡＩ  ｌｉｓｔに含まれているので、ここでは位置登録を行わない。
【００６４】
次に、移動機Ｃ１００−３と移動機Ｄ１００−４は、例えば基地局Ｂ１０１−２のセルｄ１０１−２から基地局Ｂ１０１−２のセルｆ１０１−３に移動する（ステップ９１０）。
基地局Ｂ１０１−２のセルｆ１０６−３から報知されているＴＡＩ２が自身の所持するＴＡＩ  ｌｉｓｔに含まれていないので、位置登録を行い、呼処理制御装置１０２へ基地局Ｂ１０１−２を介して位置登録要求を送信する（ステップ９１１）。
【００６５】
移動機Ｃ１００−３と移動機Ｄ１００−４と呼処理制御装置１０２は、基地局Ｂ１０１−２を介して位置登録を行い、ＴＡＩ  ｌｉｓｔを更新する（ステップ９１２）。呼処理制御装置１０２は、移動機Ｃ１００−３と移動機Ｄ１００−４のＴＡＩ  ｌｉｓｔにＴＡＩ＝１、１０に加えて、位置登録を行ったセルｆ１０６−３のＴＡＩ＝２を含めて移動機へＴＡＩ  ｌｉｓｔを送信する。なお、ここでもハンドオーバは発生しうるが、セルａからセルｄへ移動する移動機の数に比べてセルｄからセルｆへ移動する移動機の数が小さく、ハンドオーバ処理と位置登録処理の連続発生回数が閾値以下であれば物理共有チャネルを圧迫しない。また、セルｄ−セルｆ間でも上記連続発生回数が閾値を超えれば、ＴＡＩの値を共通にすることができる。この場合、例えばセルａ、セルｄ、セルｆが共通のＴＡＩの値になるようにしてもよい。
【００６６】
図２７は、移動機Ｃ１００−３と移動機Ｂ１００−４が位置登録を行った後の位置登録情報データベース４１２を示した図である。呼処理制御装置１０２は、移動機Ｃ１００−３と移動機Ｄ１００−４が位置登録を行った後、位置登録情報データベース４１２の移動機Ｃ１００−３と移動機Ｄ１００−４のＴＡＩ  ｌｉｓｔの値をＴＡＩ＝１、２、１０にそれぞれ更新する。
【００６７】
図２８（ａ）と図２８（ｂ）は、移動機Ｃ１００−３と移動機Ｄ１００−４の位置登録情報データベース２１２を示した図である。
移動機Ｃ１００−３は、呼処理制御装置１０２から送信されたＴＡＩ  ｌｉｓｔ（ＴＡＩ＝１、２、１０）を位置登録情報データベース２１２に設定する（ステップ９１３）。
移動機Ｄ１００−４は、呼処理制御装置１０２から送信されたＴＡＩ  ｌｉｓｔ（ＴＡＩ＝１、２、１０）を位置登録情報データベース２１２に設定する（ステップ９１４）。
【００６８】
本実施の形態では、呼処理制御装置１０２でハンドオーバと位置登録の同時発生回数をカウントしたが、基地局１０１または監視制御サーバ１０５でハンドオーバと位置登録の同時発生回数をカウントしてもよい。この場合、シグナリング低減用パラメータデータベース４１４を基地局１０１または監視制御サーバ１０５で管理する。
【００６９】
シグナリング低減用パラメータデータベース４１４を監視制御サーバ１０５で管理する場合、呼処理制御装置１０２は、移動機１００からハンドオーバと位置登録が行われるたびに、どの移動機１００からハンドオーバと位置登録が行われたのかを随時通知する。図８の８１４での閾値超過の判定も監視制御サーバ１０５で行う。
【００７０】
シグナリング低減用パラメータデータベース４１４を基地局１０１で管理する場合、基地局１０１は、移動機１００からハンドオーバと位置登録が行われるたびに、どの移動機１００からハンドオーバと位置登録が行われたのかを随時カウントするする。図８の８１４での閾値超過の判定は、基地局１０１で行う。
【００７１】
本実施の形態では、セル間移動でハンドオーバと位置登録が同時に大量に発生したことを自動的に検出し、セル間移動でハンドオーバと位置登録が同時に発生しないように位置登録エリア番号の割り当て処理を行った。ハンドオーバと位置登録の発生を場所的に分離したので、局地的な物理共有チャネルの圧迫を防ぐことができ、複数の移動機のデータ通信速度の低下を防ぐことができる。
【００７２】
ハンドオーバと位置登録が同時に大量発生した場合に移動元のセルと移動先のセルのＴＡＩ値を同じにすると、バスや電車など高速で移動する乗り物の通り道において、特に大量の人が往来する通り道だけを選択的に同じＴＡＩにできる。同じＴＡＩになったエリア内では、データ通信を行っている人だけでなくデータ通信を行っていない人も一斉に位置登録が発生することが無くなるので、位置登録によるシグナリングトラヒックの大量発生も防ぐことができ、無線通信システムのエリア全体にわたり無線リソースを抑えることが可能となる。
【産業上の利用可能性】
【００７３】
本発明は、例えば、複数のセルを有し、移動機がセル間を移動する際にハンドオーバや位置登録の処理を行う無線通信システムに利用可能である。
【符号の説明】
【００７４】
１００…移動機
１０１…基地局
１０２…呼処理制御装置
１０３…ゲートウェイ
１０４…インターネット網
１０５…監視制御サーバ
１０６…セル
２００…受信アンテナ
２０１…無線アナログ部
２０２…デジタル信号処理部
２０３…呼処理部
２１０…プロセッサ
２１１…プログラム格納メモリ
２１２…位置登録情報データベース
３００…受信アンテナ
３０１…無線アナログ部
３０２…デジタル信号処理部
３０３…回線インタフェース部
３０４…呼処理部
３１０…プロセッサ
３１１…プログラム格納メモリ
３１２…基地局情報データベース
４００…回線インタフェース
４０１…呼処理部
４１０…プロセッサ
４１１…プログラム格納メモリ
４１２…位置登録情報データベース
４１３…基地局情報データベース
４１４…シグナリング低減用パラメータデータベース
５００…回線インタフェース
５０１…呼処理部
５１０…プロセッサ
５１１…プログラム格納メモリ
５１２…基地局情報データベース
【図１】
2011109609.tif 000003
【図２】
2011109609.tif 000004
【図３】
2011109609.tif 000005
【図４】
2011109609.tif 000006
【図５】
2011109609.tif 000007
【図６】
2011109609.tif 000008
【図７】
2011109609.tif 000009
【図８】
2011109609.tif 000010
【図９】
2011109609.tif 000011
【図１０】
2011109609.tif 000012
【図１１】
2011109609.tif 000013
【図１２】
2011109609.tif 000014
【図１３】
2011109609.tif 000015
【図１４】
2011109609.tif 000016
【図１５】
2011109609.tif 000017
【図１６】
2011109609.tif 000018
【図１７】
2011109609.tif 000019
【図１８】
2011109609.tif 000020
【図１９】
2011109609.tif 000021
【図２０】
2011109609.tif 000022
【図２１】
2011109609.tif 000023
【図２２】
2011109609.tif 000024
【図２３】
2011109609.tif 000025
【図２４】
2011109609.tif 000026
【図２５】
2011109609.tif 000027
【図２６】
2011109609.tif 000028
【図２７】
2011109609.tif 000029
【図２８】
2011109609.tif 000030